Podtech/llm-jp-corpus-v4-ja_patent huggingface dataset:
【手続補正書】
【提出日】平成20年6月27日(2008.6.27)
【手続補正１】
【補正対象書類名】明細書
【補正対象項目名】特許請求の範囲
【補正方法】変更
【補正の内容】
【特許請求の範囲】
【請求項１】
撮像素子の表面もしくは防塵構造をとっている撮像素子ユニットの最も外側の面に付着する異物を除去する異物除去手段と、所定回数のレリーズ動作が行われると、前記異物除去手段を駆動する制御手段とを有することを特徴とするデジタルカメラ。
【請求項２】
撮像素子の表面もしくは防塵構造をとっている撮像素子ユニットの最も外側の面に付着する異物を除去する異物除去手段と、交換レンズのカメラ本体に対しての着脱動作が行われる度に、前記異物除去手段を駆動する制御手段とを有することを特徴とするデジタルカメラ。
【請求項３】
撮像素子の表面もしくは防塵構造をとっている撮像素子ユニットの最も外側の面に付着する異物を除去する異物除去手段と、電源の投入時に、以前に装着されていた交換レンズと現在装着されている交換レンズが同一か否かを判定し、異なる場合には、前記異物除去手段を駆動する制御手段とを有することを特徴とするデジタルカメラ。
【手続補正２】
【補正対象書類名】明細書
【補正対象項目名】０００９
【補正方法】変更
【補正の内容】
【０００９】
【課題を解決するための手段】
上記目的を達成するために、本発明のデジタルカメラは、撮像素子の表面もしくは防塵構造をとっている撮像素子ユニットの最も外側の面に付着する異物を除去する異物除去手段と、所定回数のレリーズ動作が行われると、前記異物除去手段を駆動する制御手段とを有することを特徴とする。
【手続補正３】
【補正対象書類名】明細書
【補正対象項目名】００１０
【補正方法】変更
【補正の内容】
【００１０】
同じく上記目的を達成するために、本発明のデジタルカメラは、撮像素子の表面もしくは防塵構造をとっている撮像素子ユニットの最も外側の面に付着する異物を除去する異物除去手段と、交換レンズのカメラ本体に対しての着脱動作が行われる度に、前記異物除去手段を駆動する制御手段とを有することを特徴とする。
【手続補正４】
【補正対象書類名】明細書
【補正対象項目名】００１１
【補正方法】変更
【補正の内容】
【００１１】
同じく上記目的を達成するために、本発明のデジタルカメラは、撮像素子の表面もしくは防塵構造をとっている撮像素子ユニットの最も外側の面に付着する異物を除去する異物除去手段と、電源の投入時に、以前に装着されていた交換レンズと現在装着されている交換レンズが同一か否かを判定し、異なる場合には、前記異物除去手段を駆動する制御手段とを有することを特徴とする。
【手続補正５】
【補正対象書類名】明細書
【補正対象項目名】００２４
【補正方法】変更
【補正の内容】
【００２４】
すなわち、撮像素子７のガラスの表面等を定期的にワイパーでこするようにし、そのこするタイミングを、レリーズボタンを押した回数をカウントして所定回数後に清掃を行うタイミングとし、定期的に清掃を行うようにしている。これにより、毎回清掃を行わないので清掃によるレリーズチャンスの失敗や、毎回行うことによるワイパーブレードの破損等の心配が無くなる。
【手続補正６】
【補正対象書類名】明細書
【補正対象項目名】００３２
【補正方法】変更
【補正の内容】
【００３２】
その後、再びカメラに電源が投入されると、図７のステップ＃４１１からステップ＃４１２へ進み、ここではレンズ３１の種類を認識する。そして、次のステップ＃４１３にて、記憶している種類と比較し、記憶しているレンズの種類と取り付けられているレンズの種類が違う場合はステップ＃４１４へ進み、同じ場合はステップ＃４１６へ進み、待機状態に入る。
【手続補正書】
【提出日】平成20年6月27日(2008.6.27)
【手続補正１】
【補正対象書類名】明細書
【補正対象項目名】発明の名称
【補正方法】変更
【補正の内容】
【発明の名称】電子カメラ装置及び撮影可能枚数表示方法
【手続補正２】
【補正対象書類名】明細書
【補正対象項目名】特許請求の範囲
【補正方法】変更
【補正の内容】
【特許請求の範囲】
【請求項１】  レンズ交換可能な電子カメラ装置において、
カメラ本体に装着された交換レンズによって前記カメラ本体内の撮像素子上に形成される画像の大きさであるイメージサイズの情報を、前記交換レンズから取得する取得手段と、
前記取得手段によって取得されたイメージサイズ情報に基づいて、前記交換レンズによって形成された撮像素子上の画像を所定の領域で切り出す切出手段と、
撮影画像を記憶する記憶装置の残存記憶容量を検出する残存記憶容量検出手段と、
前記切出手段により切り出された画像のデータ量と前記残存記憶容量検出手段によって検出された残存記憶容量とに基づいて撮影可能枚数を算出し表示する撮影可能枚数表示手段と
を有することを特徴とする電子カメラ装置。
【請求項２】  前記所定の領域は、撮影者が任意に設定することができる領域であることを特徴とする請求項１記載の電子カメラ装置。
【請求項３】  前記取得手段によって取得されたイメージサイズ情報に基づいて前記交換レンズが前記カメラ本体に適合するか否かを判定する判定手段を有し、前記判定手段によって不適合と判定されたとき、前記切出手段は前記交換レンズによって形成された撮像素子上の画像を所定の領域で切り出すことを特徴とする請求項１又は２記載の電子カメラ装置。
【請求項４】  前記判定手段は、前記交換レンズのイメージサークルの大きさと前記カメラ本体に備えられた撮像素子の受光面サイズとを参照することによって前記判定を行うことを特徴とする請求項３記載の電子カメラ装置。
【請求項５】  前記判定手段は、前記交換レンズのイメージサークル内に、前記カメラ本体に備えられた撮像素子の受光面の全てが位置し得るとき、適合と判定し、それ以外を不適合と判定することを特徴とする請求項４記載の電子カメラ装置。
【請求項６】  レンズ交換可能な電子カメラ装置に適用される撮影可能枚数表示方法において、
カメラ本体に装着された交換レンズによって前記カメラ本体内の撮像素子上に形成される画像の大きさであるイメージサイズの情報を、前記交換レンズから取得する取得ステップと、
前記取得ステップによって取得されたイメージサイズ情報に基づいて、前記交換レンズによって形成された撮像素子上の画像を所定の領域で切り出す切出ステップと、
撮影画像を記憶する記憶装置の残存記憶容量を検出する残存記憶容量検出ステップと、
前記切出ステップにより切り出された画像のデータ量と前記残存記憶容量検出ステップによって検出された残存記憶容量とに基づいて撮影可能枚数を算出し表示する撮影可能枚数表示ステップと
を有することを特徴とする撮影可能枚数表示方法。
【手続補正３】
【補正対象書類名】明細書
【補正対象項目名】０００１
【補正方法】変更
【補正の内容】
【０００１】
【発明の属する技術分野】
本発明は、電子カメラ装置及び撮影可能枚数表示方法に関し、特に、レンズ交換可能な電子カメラ装置及び該電子カメラ装置に適用される撮影可能枚数表示方法に関する。
【手続補正４】
【補正対象書類名】明細書
【補正対象項目名】０００９
【補正方法】変更
【補正の内容】
【０００９】
本発明はこのような問題点に鑑みてなされたものであって、イメージサイズの異なる交換レンズを新たに装着するとともに、撮像素子上の画像の切り出し範囲を変更しても、残り撮影可能枚数表示を正しく表示できるようにした電子カメラ装置及び撮影可能枚数表示方法を提供することを目的とする。
【手続補正５】
【補正対象書類名】明細書
【補正対象項目名】００１０
【補正方法】変更
【補正の内容】
【００１０】
【課題を解決するための手段】
上記目的を達成するために、本発明の電子カメラ装置は、レンズ交換可能な電子カメラ装置において、カメラ本体に装着された交換レンズによって前記カメラ本体内の撮像素子上に形成される画像の大きさであるイメージサイズの情報を、前記交換レンズから取得する取得手段と、前記取得手段によって取得されたイメージサイズ情報に基づいて、前記交換レンズによって形成された撮像素子上の画像を所定の領域で切り出す切出手段と、撮影画像を記憶する記憶装置の残存記憶容量を検出する残存記憶容量検出手段と、前記切出手段により切り出された画像のデータ量と前記残存記憶容量検出手段によって検出された残存記憶容量とに基づいて撮影可能枚数を算出し表示する撮影可能枚数表示手段とを有することを特徴とする。
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】変更
【補正の内容】
【００１２】
本発明の撮影可能枚数表示方法は、レンズ交換可能な電子カメラ装置に適用される撮影可能枚数表示方法において、カメラ本体に装着された交換レンズによって前記カメラ本体内の撮像素子上に形成される画像の大きさであるイメージサイズの情報を、前記交換レンズから取得する取得ステップと、前記取得ステップによって取得されたイメージサイズ情報に基づいて、前記交換レンズによって形成された撮像素子上の画像を所定の領域で切り出す切出ステップと、撮影画像を記憶する記憶装置の残存記憶容量を検出する残存記憶容量検出ステップと、前記切出ステップにより切り出された画像のデータ量と前記残存記憶容量検出ステップによって検出された残存記憶容量とに基づいて撮影可能枚数を算出し表示する撮影可能枚数表示ステップとを有することを特徴とする。
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００８９
【補正方法】変更
【補正の内容】
【００８９】
【発明の効果】
以上詳述したように本発明によれば、交換レンズのイメージサイズ情報に基づいて、交換レンズによって形成された撮像素子上の画像を所定の領域で切り出し、切り出された画像のデータ量と撮影画像を記憶する記憶装置の残存記憶容量とに基づいて撮影可能枚数を算出し表示する。
【手続補正書】
【提出日】平成20年6月27日(2008.6.27)
【手続補正１】
【補正対象書類名】明細書
【補正対象項目名】発明の名称
【補正方法】変更
【補正の内容】
【発明の名称】電子カメラ装置及びアスペクト比変換方法
【手続補正２】
【補正対象書類名】明細書
【補正対象項目名】特許請求の範囲
【補正方法】変更
【補正の内容】
【特許請求の範囲】
【請求項１】  レンズ交換可能な電子カメラ装置において、
外部から設定されたアスペクト比を保持する保持手段と、
カメラ本体に装着された交換レンズによって前記カメラ本体内の撮像素子上に形成される画像の大きさであるイメージサイズの情報を、前記交換レンズから取得する取得手段と、
前記取得手段によって取得されたイメージサイズ情報に基づいて、前記交換レンズによって形成された撮像素子上の画像を、前記保持手段が保持するアスペクト比で切り出す切出手段と、
前記切出手段によって切り出された画像を記憶装置に格納する格納手段と
を有することを特徴とする電子カメラ装置。
【請求項２】  前記取得手段によって取得されたイメージサイズ情報に基づいて前記交換レンズが前記カメラ本体に適合するか否かを判定する判定手段を有し、
前記判定手段によって不適合と判定されたとき、前記切出手段は前記交換レンズによって形成された撮像素子上の画像を所定の領域で切り出すことを特徴とする請求項１記載の電子カメラ装置。
【請求項３】  前記判定手段は、前記交換レンズのイメージサークルの大きさと前記カメラ本体に備えられた撮像素子の受光面サイズとを参照することによって前記判定を行うことを特徴とする請求項２記載の電子カメラ装置。
【請求項４】  前記判定手段は、前記交換レンズのイメージサークル内に、前記カメラ本体に備えられた撮像素子の受光面の全てが位置し得るとき、適合と判定し、それ以外を不適合と判定することを特徴とする請求項２記載の電子カメラ装置。
【請求項５】  レンズ交換可能な電子カメラ装置に適用されるアスペクト比変換方法において、
外部から設定されたアスペクト比を保持する保持ステップと、
カメラ本体に装着された交換レンズによって前記カメラ本体内の撮像素子上に形成される画像の大きさであるイメージサイズの情報を、前記交換レンズから取得する取得ステップと、
前記取得ステップによって取得されたイメージサイズ情報に基いて、前記交換レンズによって形成された撮像素子上の画像を、前記保持ステップで保持されたアスペクト比で切り出す切出ステップと、
前記切出ステップによって切り出された画像を記憶装置に格納する格納ステップと
を有することを特徴とするアスペクト比変換方法。
【手続補正３】
【補正対象書類名】明細書
【補正対象項目名】０００１
【補正方法】変更
【補正の内容】
【０００１】
【発明の属する技術分野】
本発明は、電子カメラ装置及びアスペクト比変換方法に関し、特に、レンズ交換可能な電子カメラ装置及び該電子カメラ装置に適用されるアスペクト比変換方法に関する。
【手続補正４】
【補正対象書類名】明細書
【補正対象項目名】００１２
【補正方法】変更
【補正の内容】
【００１２】
本発明はこのような問題点に鑑みてなされたものであって、撮像素子上の所定の範囲の像を拡大する電子ズームを備え、カメラ本体のイメージサイズよりも小さいイメージサイズの交換レンズが装着されたカメラにおいて、ケラレのない撮影画像を任意のアスペクト比にて切り出すことを可能にした電子カメラ装置及びアスペクト比変換方法を提供することを目的とする。
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】変更
【補正の内容】
【００１４】
【課題を解決するための手段】
上記目的を達成するために、本発明の電子カメラ装置は、レンズ交換可能な電子カメラ装置において、外部から設定されたアスペクト比を保持する保持手段と、カメラ本体に装着された交換レンズによって前記カメラ本体内の撮像素子上に形成される画像の大きさであるイメージサイズの情報を、前記交換レンズから取得する取得手段と、前記取得手段によって取得されたイメージサイズ情報に基づいて、前記交換レンズによって形成された撮像素子上の画像を、前記保持手段が保持するアスペクト比で切り出す切出手段と、前記切出手段によって切り出された画像を記憶装置に格納する格納手段とを有することを特徴とする。
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】変更
【補正の内容】
【００１７】
本発明のアスペクト変換方法は、レンズ交換可能な電子カメラ装置に適用されるアスペクト比変換方法において、外部から設定されたアスペクト比を保持する保持ステップと、カメラ本体に装着された交換レンズによって前記カメラ本体内の撮像素子上に形成される画像の大きさであるイメージサイズの情報を、前記交換レンズから取得する取得ステップと、前記取得ステップによって取得されたイメージサイズ情報に基いて、前記交換レンズによって形成された撮像素子上の画像を、前記保持ステップで保持されたアスペクト比で切り出す切出ステップと、前記切出ステップによって切り出された画像を記憶装置に格納する格納ステップとを有することを特徴とする。
【手続補正１０】
【補正対象書類名】明細書
【補正対象項目名】００１８
【補正方法】削除
【補正の内容】
【手続補正１１】
【補正対象書類名】明細書
【補正対象項目名】００１９
【補正方法】削除
【補正の内容】
【手続補正１２】
【補正対象書類名】明細書
【補正対象項目名】００２０
【補正方法】削除
【補正の内容】
【手続補正１３】
【補正対象書類名】明細書
【補正対象項目名】００２１
【補正方法】削除
【補正の内容】
【手続補正１４】
【補正対象書類名】明細書
【補正対象項目名】００２２
【補正方法】削除
【補正の内容】
【手続補正１５】
【補正対象書類名】明細書
【補正対象項目名】０１４６
【補正方法】変更
【補正の内容】
【０１４６】
【発明の効果】
以上詳述したように本発明によれば、外部から設定されたアスペクト比を保持するとともに、カメラ本体に装着された交換レンズのイメージサイズを表す情報を交換レンズから取得する。そして、取得されたイメージサイズ情報に基づいて、交換レンズによって形成された撮像素子上の画像を、保持されたアスペクト比で切り出し、該切り出された画像を撮影画像として記憶装置に格納する。
【手続補正１６】
【補正対象書類名】明細書
【補正対象項目名】０１４８
【補正方法】削除
【補正の内容】
【手続補正書】
【提出日】平成20年6月25日(2008.6.25)
【手続補正１】
【補正対象書類名】明細書
【補正対象項目名】特許請求の範囲
【補正方法】変更
【補正の内容】
【特許請求の範囲】
【請求項１】  自動露出機構を備えた撮像装置であって、
撮影画像データを複数のエリアに分割する分割手段と、
上記エリアごとに輝度に基づく露出評価値を生成する露出評価値生成手段と、
上記各エリア中において部分ごとに色評価値を生成する色評価値生成手段と、
上記各エリア中において上記色評価値が色温度分布の所定範囲内に収まっている部分の数に応じて、当該エリアの露出評価値に対する重み付けを決定する重み付け決定手段と、
上記重み付け決定手段により決定された重み付けを用いて上記各エリアの露出評価値に重み付け演算を行い、その重み付け演算の結果に基づいて露出制御を行う露出制御手段とを備えたことを特徴とする撮像装置。
【請求項２】  上記重み付け決定手段は、上記各エリア中において上記色評価値が色温度分布の所定範囲内に収まっている部分の数が所定数を超えるまでは、所定の重み付けを、所定数を超えたならば、上記所定の重み付けよりも下げた重み付けを決定することを特徴とする請求項１に記載の撮像装置。
【請求項３】  上記色評価値生成手段は、上記各エリア中において画素ごとに上記色評価値を生成することを特徴とする請求項１又は２に記載の撮像装置。
【請求項４】  自動露出機構を備えた撮像装置の制御方法であって、
撮影画像データを複数のエリアに分割する分割手順と、
上記エリアごとに輝度に基づく露出評価値を生成する露出評価値生成手順と、
上記各エリア中において部分ごとに色評価値を生成する色評価値生成手順と、
上記各エリア中において上記色評価値が色温度分布の所定範囲内に収まっている部分の数に応じて、当該エリアの露出評価値に対する重み付けを決定する重み付け決定手順と、
上記重み付け決定手順により決定された重み付けを用いて上記各エリアの露出評価値に重み付け演算を行い、その重み付け演算の結果に基づいて露出制御を行う露出制御手順とを有することを特徴とする撮像装置の制御方法。
【請求項５】  自動露出機構を備えた撮像装置を制御するためのプログラムであって、
撮影画像データを複数のエリアに分割する分割処理と、
上記エリアごとに輝度に基づく露出評価値を生成する露出評価値生成処理と、
上記各エリア中において部分ごとに色評価値を生成する色評価値生成処理と、
上記各エリア中において上記色評価値が色温度分布の所定範囲内に収まっている部分の数に応じて、当該エリアの露出評価値に対する重み付けを決定する重み付け決定処理と、
上記重み付け決定処理により決定された重み付けを用いて上記各エリアの露出評価値に重み付け演算を行い、その重み付け演算の結果に基づいて露出制御を行う露出制御処理とを実行させることを特徴とするプログラム。
【請求項６】  請求項５に記載のプログラムを格納したことを特徴とするコンピュータ読み取り可能な記憶媒体。
【手続補正２】
【補正対象書類名】明細書
【補正対象項目名】０００７
【補正方法】変更
【補正の内容】
【０００７】
【課題を解決するための手段】
本発明の撮像装置は、自動露出機構を備えた撮像装置であって、撮影画像データを複数のエリアに分割する分割手段と、上記エリアごとに輝度に基づく露出評価値を生成する露出評価値生成手段と、上記各エリア中において部分ごとに色評価値を生成する色評価値生成手段と、上記各エリア中において上記色評価値が色温度分布の所定範囲内に収まっている部分の数に応じて、当該エリアの露出評価値に対する重み付けを決定する重み付け決定手段と、上記重み付け決定手段により決定された重み付けを用いて上記各エリアの露出評価値に重み付け演算を行い、その重み付け演算の結果に基づいて露出制御を行う露出制御手段とを備えた点に特徴を有する。
【手続補正３】
【補正対象書類名】明細書
【補正対象項目名】０００８
【補正方法】削除
【補正の内容】
【手続補正４】
【補正対象書類名】明細書
【補正対象項目名】００１１
【補正方法】変更
【補正の内容】
【００１１】
本発明の撮像装置の制御方法は、自動露出機構を備えた撮像装置の制御方法であって、撮影画像データを複数のエリアに分割する分割手順と、上記エリアごとに輝度に基づく露出評価値を生成する露出評価値生成手順と、上記各エリア中において部分ごとに色評価値を生成する色評価値生成手順と、上記各エリア中において上記色評価値が色温度分布の所定範囲内に収まっている部分の数に応じて、当該エリアの露出評価値に対する重み付けを決定する重み付け決定手順と、上記重み付け決定手順により決定された重み付けを用いて上記各エリアの露出評価値に重み付け演算を行い、その重み付け演算の結果に基づいて露出制御を行う露出制御手順とを有する点に特徴を有する。
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】変更
【補正の内容】
【００１３】
本発明のプログラムは、自動露出機構を備えた撮像装置を制御するためのプログラムであって、撮影画像データを複数のエリアに分割する分割処理と、上記エリアごとに輝度に基づく露出評価値を生成する露出評価値生成処理と、上記各エリア中において部分ごとに色評価値を生成する色評価値生成処理と、上記各エリア中において上記色評価値が色温度分布の所定範囲内に収まっている部分の数に応じて、当該エリアの露出評価値に対する重み付けを決定する重み付け決定処理と、上記重み付け決定処理により決定された重み付けを用いて上記各エリアの露出評価値に重み付け演算を行い、その重み付け演算の結果に基づいて露出制御を行う露出制御処理とを実行させる点に特徴を有する。
【手続補正７】
【補正対象書類名】明細書
【補正対象項目名】００１４
【補正方法】削除
【補正の内容】
【手続補正書】
【提出日】平成20年7月4日(2008.7.4)
【手続補正１】
【補正対象書類名】明細書
【補正対象項目名】特許請求の範囲
【補正方法】変更
【補正の内容】
【特許請求の範囲】
【請求項１】  光を受光して信号を発生する光電変換手段を有する撮像手段と、
前記撮像手段から出力される信号をクランプするためのクランプパルスを発生するクランプパルス発生手段と、
前記クランプパルス発生手段から出力されるクランプパルスの発生を前記撮像手段に照射される光量の増加に伴い遅らせるよう制御する制御手段と、を有することを特徴とする信号処理装置。
【請求項２】  光を受光して信号を発生する光電変換手段を有する撮像手段と、
前記撮像手段から出力される信号をクランプするためのクランプパルスを発生するクランプパルス発生手段と、
前記撮像手段に照射される光量の増加に伴いオプティカルブラック期間の経過後にクランプパルスを発生させるよう制御する制御手段と、を有することを特徴とする信号処理装置。
【請求項３】  光を受光して信号を発生する光電変換手段を有する撮像手段と、
前記撮像手段から出力される信号をクランプするためのクランプパルスを発生するクランプパルス発生手段と、
前記撮像手段に照射される光量の増加に伴い、前記クランプパルス発生手段から出力されるクランプパルスのパルス幅を狭くするよう制御する制御手段と、を有することを特徴とする信号処理装置。
【請求項４】  前記撮像手段は遮光領域を有し、前記制御手段は、該遮光領域近傍に照射される光量に応じて光量に関連して、前記クランプパルス発生手段から出力されるクランプパルスの発生を制御することを特徴とする請求項１乃至３のいずれかに記載の信号処理装置。
【請求項５】  前記制御手段は、該遮光領域近傍以外に照射される光量の変化に対して、前記クランプパルス発生手段から出力されるクランプパルスの発生を固定することを特徴とする請求項４に記載の信号処理装置。
【請求項６】  被写体光を受光して信号を発生する撮像手段と、
前記撮像手段から出力される前記信号をクランプするためのクランプパルスを発生する第１、第２のクランプパルス発生手段と、
前記光電変換手段に照射される光量に関連して、前記第１のクランプパルス発生手段と前記第２のクランプパルス発生手段との選択を制御する制御手段と、を有することを特徴とする信号処理装置。
【請求項７】  光を受光した撮像手段から発生した信号を処理する信号処理装置の制御方法であって、
前記撮像手段から出力される信号をクランプするためのクランプパルスを発生させるよう制御するとともに、
前記撮像手段に所定領域に照射される光量に関連して、前記クランプパルス発生手段から出力されるクランプパルスの発生を制御することを特徴とする制御方法。
【請求項８】  請求項７に記載の信号処理装置の制御方法を実現するためのプログラム。
【手続補正２】
【補正対象書類名】明細書
【補正対象項目名】０００９
【補正方法】変更
【補正の内容】
【０００９】
【課題を解決するための手段】
前述の課題を解決するため、本出願に係る請求項１に記載の信号処理装置は、光を受光して信号を発生する光電変換手段を有する撮像手段と、前記撮像手段から出力される信号をクランプするためのクランプパルスを発生するクランプパルス発生手段と、前記クランプパルス発生手段から出力されるクランプパルスの発生を前記撮像手段に照射される光量の増加に伴い遅らせるよう制御する制御手段と、を有する。
【手続補正３】
【補正対象書類名】明細書
【補正対象項目名】００１０
【補正方法】変更
【補正の内容】
【００１０】
また、請求項２に記載の信号処理装置は、光を受光して信号を発生する光電変換手段を有する撮像手段と、前記撮像手段から出力される信号をクランプするためのクランプパルスを発生するクランプパルス発生手段と、前記撮像手段に照射される光量の増加に伴いオプティカルブラック期間の経過後にクランプパルスを発生させるよう制御する制御手段とを有する。
【手続補正４】
【補正対象書類名】明細書
【補正対象項目名】００１１
【補正方法】変更
【補正の内容】
【００１１】
また、請求項３に記載の信号処理装置は、光を受光して信号を発生する光電変換手段を有する撮像手段と、前記撮像手段から出力される信号をクランプするためのクランプパルスを発生するクランプパルス発生手段と、前記撮像手段に照射される光量の増加に伴い、前記クランプパルス発生手段から出力されるクランプパルスのパルス幅を狭くするよう制御する制御手段とを有する。
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】変更
【補正の内容】
【００１７】
また、請求項６に記載の信号処理装置は、被写体光を受光して信号を発生する撮像手段と、前記撮像手段から出力される前記信号をクランプするためのクランプパルスを発生する第１、第２のクランプパルス発生手段と、前記光電変換手段に照射される光量に関連して、前記第１のクランプパルス発生手段と前記第２のクランプパルス発生手段との選択を制御する制御手段と、を有する。
【手続補正１１】
【補正対象書類名】明細書
【補正対象項目名】００１８
【補正方法】変更
【補正の内容】
【００１８】
また、請求項７に記載の信号処理装置の制御方法は、光を受光した撮像手段から発生した信号を処理する信号処理装置の制御方法であって、前記撮像手段から出力される信号をクランプするためのクランプパルスを発生させるよう制御するとともに、前記撮像手段に所定領域に照射される光量に関連して、前記クランプパルス発生手段から出力されるクランプパルスの発生を制御する。
【手続補正１２】
【補正対象書類名】明細書
【補正対象項目名】００１９
【補正方法】削除
【補正の内容】
【手続補正書】
【提出日】平成20年7月2日(2008.7.2)
【手続補正１】
【補正対象書類名】明細書
【補正対象項目名】特許請求の範囲
【補正方法】変更
【補正の内容】
【特許請求の範囲】
【請求項１】  配列された複数の画素と、
前記複数の画素のうちの所定数の画素の信号を加算して読み出すために、前記所定数の画素を共通に接続するための第１のスイッチ手段と、
前記所定数の画素と前記第１のスイッチ手段とをそれぞれ含む複数の第１の画素群の信号を加算して読み出すために、前記複数の第１の画素群を共通に接続するための第２のスイッチ手段と、
前記第１のスイッチ手段のオン又はオフを制御するため、及び、前記第２のスイッチ手段のオン又はオフを制御するための制御手段と、
を有し、
第２の画素群が前記複数の第１の画素群と前記第２のスイッチ手段とを含むとしたとき、
前記制御手段は、前記複数の画素からの信号をそれぞれ読み出す場合には前記第１及び第２のスイッチ手段をオフに、前記第１の画素群内の信号を加算して読み出す場合には前記第１のスイッチ手段をオンに且つ前記第２のスイッチ手段をオフに、前記第２の画素群内の信号を加算して読み出す場合には前記第１及び第２のスイッチ手段をオンにするように制御することを特徴とする撮像装置。
【請求項２】  前記所定数より１つ少ない数の前記第１のスイッチ手段により、前記第１の画素群に含まれる画素を共通に接続することを特徴とする請求項１に記載の撮像装置。
【請求項３】  前記第２の画素群に含まれる前記第１の画素群の数より１つ少ない数の前記第２のスイッチ手段により、前記第２の画素群に含まれる前記複数の第１の画素群を共通に接続することを特徴とする請求項１又は２に記載の撮像装置。
【請求項４】  前記画素はフォトダイオードと該フォトダイオードからの信号を蓄積する容量とを備え、前記第１及び第２のスイッチ手段は前記容量どうしの接続を制御する手段である請求項１乃至３のいずれか１項に記載の撮像装置。
【請求項５】  複数の前記第２の画素群の信号を加算して読み出すために前記複数の第２の画素群を共通に接続するための第３のスイッチ手段を更に有し、
第３の画素群が前記複数の第２の画素群と前記第３のスイッチ手段とを含むとしたとき、
前記制御手段は、前記第３の画素群内の信号を加算して読み出す場合には前記第１、第２及び第３のスイッチ手段をオンにするように、前記第３のスイッチ手段のオン又はオフを更に制御することを特徴とする請求項１乃至４のいずれか１項に記載の撮像装置。
【請求項６】  前記第３の画素群に含まれる前記第２の画素群の数より１つ少ない数の前記第３のスイッチ手段により、前記第３の画素群に含まれる複数の前記第２の画素群を共通に接続することを特徴とする請求項５に記載の撮像装置。
【請求項７】  前記第３のスイッチ手段は前記容量どうしの接続を制御する手段である請求項５又は６に記載の撮像装置。
【請求項８】  前記第１、第２、及び第３のスイッチ手段のいずれかに接続される制御線を複数有する請求項５乃至７のいずれか１項に記載の撮像装置。
【請求項９】  請求項１乃至８のいずれか１項に記載の撮像装置と、該撮像装置からの信号を処理する信号処理回路とを有することを特徴とする撮像システム。
【手続補正２】
【補正対象書類名】明細書
【補正対象項目名】０００５
【補正方法】変更
【補正の内容】
【０００５】
【課題を解決するための手段】
本発明の撮像装置は、配列された複数の画素と、
前記複数の画素のうちの所定数の画素の信号を加算して読み出すために、前記所定数の画素を共通に接続するための第１のスイッチ手段と、
前記所定数の画素と前記第１のスイッチ手段とをそれぞれ含む複数の第１の画素群の信号を加算して読み出すために、前記複数の第１の画素群を共通に接続するための第２のスイッチ手段と、
前記第１のスイッチ手段のオン又はオフを制御するため、及び、前記第２のスイッチ手段のオン又はオフを制御するための制御手段と、
を有し、
第２の画素群が前記複数の第１の画素群と前記第２のスイッチ手段とを含むとしたとき、
前記制御手段は、前記複数の画素からの信号をそれぞれ読み出す場合には前記第１及び第２のスイッチ手段をオフに、前記第１の画素群内の信号を加算して読み出す場合には前記第１のスイッチ手段をオンに且つ前記第２のスイッチ手段をオフに、前記第２の画素群内の信号を加算して読み出す場合には前記第１及び第２のスイッチ手段をオンにするように制御することを特徴とする。
【手続補正３】
【補正対象書類名】明細書
【補正対象項目名】０００６
【補正方法】変更
【補正の内容】
【０００６】
本発明の撮像システムは、本発明の撮像装置と、該撮像装置からの信号を処理する信号処理回路とを有することを特徴とする。
【手続補正書】
【提出日】平成20年7月3日(2008.7.3)
【手続補正１】
【補正対象書類名】明細書
【補正対象項目名】特許請求の範囲
【補正方法】変更
【補正の内容】
【特許請求の範囲】
【請求項１】
入射光量に対応する電気信号を発生し、２分割された撮像領域と、該２つの撮像領域毎に前記電気信号を出力する２つの出力部とを有する撮像手段から出力される電気信号を処理する信号処理装置であって、
前記２つの撮像領域それぞれから、複数ライン毎に前記２つの撮像領域間で対応するように設けられた複数の所定範囲対の電気信号を抽出する抽出手段と、
前記抽出された複数の所定範囲対の電気信号に基づいて、各所定範囲対の電気信号の差を補正するための補正値を算出する算出手段と、
前記算出手段により算出された各補正値を用いて、該補正値の算出に用いた所定範囲対に対応する前記複数ラインの領域の電気信号の差を補正する補正手段と
を有することを特徴とする信号処理装置。
【請求項２】
前記算出手段は、
前記各所定範囲対の電気信号の比に基づいて補正値を算出する手段と、
前記各所定範囲対の電気信号の差に基づいて補正値を算出する手段との少なくともいずれか一方を有することを特徴とする請求項１に記載の信号処理装置。
【請求項３】
前記算出手段は、前記各所定範囲対の電気信号の平均値及び前記複数の所定範囲対の電気信号の平均値に基づいて補正値を算出することを特徴とする請求項１または２に記載の信号処理装置。
【請求項４】
前記補正値は、当該補正値の算出に用いた所定範囲対に対応する前記複数ラインの領域から出力された電気信号に加えるオフセット値及びゲイン値の少なくともいずれか一方であることを特徴とする請求項１に記載の信号処理装置。
【請求項５】
前記抽出された所定範囲対の電気信号に基づいて、前記算出手段で補正値を算出するために用いる演算方法を決定する決定手段と、
前記決定手段は、前記各所定範囲対の電気信号の平均値及び前記複数の所定範囲対の電気信号の平均値を所定閾値と比較し、比較結果に応じて演算方法を決定することを特徴とする請求項１に記載の信号処理装置。
【請求項６】  前記補正手段により補正された前記２つの撮像領域の電気信号を合成する合成手段を更に有することを特徴とする請求項１乃至５のいずれか１項に記載の信号処理装置。
【請求項７】  前記抽出手段は、前記２つの撮像領域の境界において所定範囲対の電気信号を抽出することを特徴とする請求項１乃至６のいずれか１項に記載の信号処理装置。
【請求項８】  入射光量に対応する電気信号を発生し、２つに分割された撮像領域と、該２つの撮像領域毎に前記電気信号を出力する複数の出力部とを有する撮像手段と、
請求項１乃至７のいずれか１項に記載の信号処理装置と
を有することを特徴とする撮像装置。
【請求項９】  入射光量に対応する電気信号を発生し、２分割された撮像領域と、該２つの撮像領域毎に前記電気信号を出力する２つの出力部とを有する撮像手段から出力される電気信号を処理する信号処理方法であって、
前記２つの撮像領域それぞれから、複数ライン毎に前記２つの撮像領域間で対応するように設けられた複数の所定範囲対の電気信号を抽出する抽出工程と、
前記抽出された複数の所定範囲対の電気信号に基づいて、各所定範囲対の電気信号の差を補正するための補正値を算出する算出工程と、
前記算出された各補正値を用いて、該補正値の算出に用いた所定範囲対に対応する前記複数ラインの領域の電気信号の差を補正する補正工程と
を有することを特徴とする信号処理方法。
【手続補正２】
【補正対象書類名】明細書
【補正対象項目名】００２８
【補正方法】変更
【補正の内容】
【００２８】
【課題を解決するための手段】
上記第１の目的を達成するために、入射光量に対応する電気信号を発生し、２分割された撮像領域と、該２つの撮像領域毎に前記電気信号を出力する２つの出力部とを有する撮像手段から出力される電気信号を処理する本発明の信号処理装置は、前記２つの撮像領域それぞれから、複数ライン毎に前記２つの撮像領域間で対応するように設けられた複数の所定範囲対の電気信号を抽出する抽出手段と、前記抽出された複数の所定範囲対の電気信号に基づいて、各所定範囲対の電気信号の差を補正するための補正値を算出する算出手段と、前記算出手段により算出された各補正値を用いて、該補正値の算出に用いた所定範囲対に対応する前記複数ラインの領域の電気信号の差を補正する補正手段とを有する。
【手続補正３】
【補正対象書類名】明細書
【補正対象項目名】００２９
【補正方法】変更
【補正の内容】
【００２９】
また、本発明の撮像装置は、上記信号処理装置と、入射光量に対応する電気信号を発生し、２つに分割された撮像領域と、該２つの撮像領域毎に前記電気信号を出力する複数の出力部とを有する撮像手段とを有する。
【手続補正４】
【補正対象書類名】明細書
【補正対象項目名】００３０
【補正方法】変更
【補正の内容】
【００３０】
また、入射光量に対応する電気信号を発生し、２分割された撮像領域と、該２つの撮像領域毎に前記電気信号を出力する２つの出力部とを有する撮像手段から出力される電気信号を処理する、本発明の信号処理方法は、前記２つの撮像領域それぞれから、複数ライン毎に前記２つの撮像領域間で対応するように設けられた複数の所定範囲対の電気信号を抽出する抽出工程と、前記抽出された複数の所定範囲対の電気信号に基づいて、各所定範囲対の電気信号の差を補正するための補正値を算出する算出工程と、前記算出された各補正値を用いて、該補正値の算出に用いた所定範囲対に対応する前記複数ラインの領域の電気信号の差を補正する補正工程とを有する。
【手続補正５】
【補正対象書類名】明細書
【補正対象項目名】００３１
【補正方法】削除
【補正の内容】
【手続補正６】
【補正対象書類名】明細書
【補正対象項目名】００３２
【補正方法】削除
【補正の内容】
【手続補正７】
【補正対象書類名】明細書
【補正対象項目名】００３３
【補正方法】削除
【補正の内容】
【手続補正書】
【提出日】平成20年7月3日(2008.7.3)
【手続補正１】
【補正対象書類名】明細書
【補正対象項目名】特許請求の範囲
【補正方法】変更
【補正の内容】
【特許請求の範囲】
【請求項１】
カラー文書画像を圧縮する画像圧縮装置であって、
前記カラー文書画像に含まれるテキスト領域の色を抽出する抽出手段と、
前記テキスト領域において、予め設定された色範囲内の色を有するテキスト領域を包含する包含画像を生成する生成手段と、
前記包含画像及び／又は前記テキスト領域に対して圧縮を行う圧縮手段と
を備えることを特徴とする画像圧縮装置。
【請求項２】
更に、前記カラー文書画像に対して２値化処理を行い、２値画像を生成する２値化手段を備え、
前記抽出手段は、前記２値画像からテキスト領域を特定し、前記カラー文書画像において、前記特定したテキスト領域に該当する領域に含まれる色を抽出することを特徴とする請求項１に記載の画像圧縮装置。
【請求項３】
前記抽出手段は、前記２値画像におけるテキスト領域の位置、テキスト領域のサイズを含むテキスト情報を生成することを特徴とする請求項２に記載の画像圧縮装置。
【請求項４】
前記抽出手段は、テキスト領域から抽出した色を当該テキスト領域のパレット情報として生成することを特徴とする請求項２に記載の画像圧縮装置。
【請求項５】
前記生成手段は、テキスト領域内の色に対して減色処理を施し、減色処理した色において予め設定された色範囲内の色を有するテキスト領域を包含する包含画像と、当該包含画像に関する情報とを生成することを特徴とする請求項１に記載の画像圧縮装置。
【請求項６】
前記包含画像に関する情報は、前記カラー文書画像における前記包含画像の位置、前記包含画像のサイズを含むことを特徴とする請求項５に記載の画像圧縮装置。
【請求項７】
前記生成手段は、予め設定された色範囲内の色を有するテキスト領域のうち、注目テキスト領域に結合するテキスト領域を決定する決定手段を備え、
前記注目テキスト領域と、前記決定手段が決定したテキスト領域とを包含する包含画像と、当該包含画像に関する情報を生成することを特徴とする請求項１乃至６のいずれか１項に記載の画像圧縮装置。
【請求項８】
前記決定手段は、
前記注目テキスト領域、もしくは前記注目テキスト領域を含む包含画像を圧縮した際に推定される圧縮サイズと、前記テキスト領域を圧縮した際に推定される圧縮サイズとの合計により得られる第１の圧縮サイズと、
前記注目テキスト領域、もしくは前記注目テキスト領域を含む包含画像と前記テキスト領域とを包含する包含画像を圧縮した際に推定される第２の圧縮サイズとを求め、
前記第２の圧縮サイズが前記第１の圧縮サイズよりも小さい場合、前記テキスト領域を前記注目テキスト領域に結合することを特徴とする請求項７に記載の画像圧縮装置。
【請求項９】
前記生成手段は、予め設定された色範囲内の色を有するテキスト領域のうち、注目テキスト領域に結合するテキスト領域を示す結合リストを生成し、当該結合リストを参照することで、前記注目テキスト領域と前記決定手段が決定したテキスト領域とを包含する包含画像と、当該包含画像に関する情報を生成することを特徴とする請求項１乃至８のいずれか１項に記載の画像圧縮装置。
【請求項１０】
前記圧縮手段は、包含画像及び／又は１つの色を有するテキスト領域に対してＭＭＲ圧縮を行うことを特徴とする請求項１に記載の画像圧縮装置。
【請求項１１】
前記圧縮手段は、複数の色を有するテキスト領域に対して可逆圧縮を行うことを特徴とする請求項１に記載の画像圧縮装置。
【請求項１２】
更に、前記カラー文書画像において、テキスト領域を所定の色で塗りつぶした下地画像を生成する下地画像生成手段と、
前記下地画像を圧縮する下地画像圧縮手段と
を備えることを特徴とする請求項１乃至１１のいずれか１項に記載の画像圧縮装置。
【請求項１３】
前記下地画像生成手段は、前記テキスト領域の位置、前記テキスト領域のサイズを含むテキスト情報を参照して、前記テキスト領域を特定することを特徴とする請求項１２に記載の画像圧縮装置。
【請求項１４】
前記下地画像生成手段は、前記テキスト領域を前記カラー文書画像の前記テキスト領域周辺の画素の平均値で塗りつぶすことを特徴とする請求項１２に記載の画像圧縮装置。
【請求項１５】
前記下地画像圧縮手段は、前記下地画像に対してＪＰＥＧ圧縮を行うことを特徴とする請求項１２に記載の画像圧縮装置。
【請求項１６】
カラー文書画像を圧縮する画像圧縮装置が行う画像圧縮方法であって、
前記カラー文書画像に含まれるテキスト領域の色を抽出する抽出工程と、
前記テキスト領域において、予め設定された色範囲内の色を有するテキスト領域を包含する包含画像を生成する生成工程と、
前記包含画像及び／又は前記テキスト領域に対して圧縮を行う圧縮工程と
を備えることを特徴とする画像圧縮方法。
【請求項１７】
更に、前記カラー文書画像に対して２値化処理を行い、２値画像を生成する２値化工程を備え、
前記抽出工程では、前記２値画像からテキスト領域を特定し、前記カラー文書画像において、前記特定したテキスト領域に該当する領域に含まれる色を抽出することを特徴とする請求項１６に記載の画像圧縮方法。
【請求項１８】
前記生成工程は、予め設定された色範囲内の色を有するテキスト領域のうち、注目テキスト領域に結合するテキスト領域を決定する決定工程を備え、
前記注目テキスト領域と、前記決定工程で決定したテキスト領域とを包含する包含画像と、当該包含画像に関する情報を生成することを特徴とする請求項１６又は１７に記載の画像圧縮方法。
【請求項１９】
更に、前記カラー文書画像において、テキスト領域を所定の色で塗りつぶした下地画像を生成する下地画像生成工程と、
前記下地画像を圧縮する下地画像圧縮工程と
を備えることを特徴とする請求項１６乃至１８のいずれか１項に記載の画像圧縮方法。    【請求項２０】
コンピュータを、請求項１乃至１５の何れか１項に記載の画像圧縮装置が有する各手段として機能させるためのプログラム。
【請求項２１】
請求項２０に記載のプログラムを格納した、コンピュータ読み取り可能な記憶媒体。
【手続補正２】
【補正対象書類名】明細書
【補正対象項目名】０００７
【補正方法】変更
【補正の内容】
【０００７】
即ち、カラー文書画像を圧縮する画像圧縮装置であって、
前記カラー文書画像に含まれるテキスト領域の色を抽出する抽出手段と、
前記テキスト領域において、予め設定された色範囲内の色を有するテキスト領域を包含する包含画像を生成する生成手段と、
前記包含画像及び／又は前記テキスト領域に対して圧縮を行う圧縮手段と
を備えることを特徴とする。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正書】
【提出日】平成20年7月2日(2008.7.2)
【手続補正１】
【補正対象書類名】明細書
【補正対象項目名】特許請求の範囲
【補正方法】変更
【補正の内容】
【特許請求の範囲】
【請求項１】
出力デバイスから出力されたカラーパッチの測色値を入力する測色工程と、
前記測色値に基づき、ターゲットデバイスに従属する第１の色空間上の信号をデバイスに独立な第２の色空間上の信号に変換するための第１の変換条件を作成する第１の作成工程と、
前記測色値に基づき、前記第２の色空間上の信号を前記出力デバイスに従属する第３の色空間上の信号に変換するための第２の変換条件を作成する第２の作成工程と、を有し、
前記第２の作成工程においては、前記第２の色空間上の信号を一旦RGB色空間上の信号に変換した後に、前記第３の色空間上の信号に変換することによって、前記第２の変換条件を作成することを特徴とする画像処理方法。
【請求項２】  前記第２の作成工程においては、前記第２の色空間上の信号をRGB色空間上の信号に変換するためのRGB変換条件を作成することを特徴とする請求項１記載の画像処理方法。
【請求項３】  前記測色工程においては、前記出力デバイスから出力されたCMYKカラーパッチの測色値として前記第２の色空間上の信号を入力することを特徴とする請求項２記載の画像処理方法。
【請求項４】  前記第２の作成工程においては、前記測色工程において入力されたCMYKカラーパッチの測色値を前記RGB変換条件に基づいて変換することにより、RGBカラーパッチの測色値に類似する該第２の色空間上の信号を得ることを特徴とする請求項３記載の画像処理方法。
【請求項５】  前記第２の作成工程においては前記第２の色空間上の信号について、該第２の色空間上で距離が近い数点を選択し、選択された数点が前記RGB変換条件に基づいて対応するRGB色値の和によってRGB値を合成し、該合成されたRGB値に一旦変換することを特徴とする請求項２記載の画像処理方法。
【請求項６】  前記第２の作成工程においてRGB値を合成する際の重みは、前記第２の色空間上における距離の関数であることを特徴とする請求項５記載の画像処理方法。
【請求項７】  前記距離の関数は、前記第２の色空間上における距離をdとすると、f(d) = 1/(1+d4) で表されることを特徴とする請求項６記載の画像処理方法。
【請求項８】  前記第２の作成工程において前記RGB色空間上の信号を前記第３の色空間上の信号に変換する際には、
予め用意された前記RGB色空間上における所定のグリッドに対応する前記第３の色空間上の信号値に基づき、入力されたRGB色空間上の信号に補間演算を施すことによって、該第３の色空間上の信号に変換することを特徴とする請求項１記載の画像処理方法。
【請求項９】  前記所定のグリッドは、前記RGB色空間上においてR,G,B,C,M,Y,W,Bkの各色に対応する8点のグリッドであることを特徴とする請求項８記載の画像処理方法。
【請求項１０】  前記所定のグリッドに対応する前記第３の色空間上の信号値は、前記出力デバイスの特性に応じたトナー量を考慮して設定されていることを特徴とする請求項７または９記載の画像処理方法。
【請求項１１】  前記第２の作成工程において前記RGB色空間上の信号を前記第３の色空間上の信号に変換する際には、
入力されたRGB色空間上の信号を反転することによって第３の色空間上の信号に変換し、更にガンマ変換を施した後に、前記補間演算を施すことを特徴とする請求項８乃至９のいずれかに記載の画像処理方法。
【請求項１２】  前記ガンマ変換におけるガンマ値、及び前記トナー量を入力する変数入力工程を有することを特徴とする請求項１１記載の画像処理方法。
【請求項１３】  前記変数入力工程においては、複数のデバイス名から１つを選択すると、該選択されたデバイスに関連付けて予め記憶されているガンマ値及びトナー量が設定されることを特徴とする請求項１２記載の画像処理方法。
【請求項１４】  前記測色値の前記第２の色空間上における分布を解析し、該解析結果に基づいて前記ガンマ値を決定する解析工程を有することを特徴とする請求項１１記載の画像処理方法。
【請求項１５】  前記解析工程においては、所定のRGB値を前記第３の色空間上の信号に変換し更に前記第２の色空間上の信号に変換することによって得られる、該所定のRGB値と該第２の色空間上の信号との関係に基づいて、前記ガンマ値を決定することを特徴とする請求項１４記載の画像処理方法。
【請求項１６】  前記所定のRGB値は、各色成分値が全て等しいグレイ信号であることを特徴とする請求項１５記載の画像処理方法。
【請求項１７】  前記解析工程においては、前記グレイ信号と前記第２の空間上の信号との関係を指数関数に近似することによって、前記ガンマ値を決定することを特徴とする請求項１６記載の画像処理方法。
【請求項１８】  前記第１及び第３の色空間はCMY色空間であり、
前記第２の色空間は均等色空間であることを特徴とする請求項１記載の画像処理方法。
【請求項１９】  前記第１及び第２の変換条件、及びRGB変換条件は、色変換用のルックアップテーブルであることを特徴とする請求項２記載の画像処理方法。
【請求項２０】  デバイスに独立な均等色空間上の信号とデバイスに従属するRGB色空間上の信号との変換条件を、該デバイスより出力されたカラーパッチの測色値に基づいて作成する画像処理方法であって、
前記測色値の均等色空間上における分布を解析し、該解析結果に基づいて前記変換条件を作成する際のパラメータを決定することを特徴とする画像処理方法。
【請求項２１】  前記パラメータは、RGB色空間上の信号を変換したCMY色空間上の信号に対するガンマ変換において用いられるガンマ値であることを特徴とする請求項２０記載の画像処理方法。
【請求項２２】  ターゲットデバイスに従属する第１の色空間上の信号をデバイスに独立な第２の色空間上の信号に変換する第１の変換手段と、
前記第２の色空間上の信号を前記出力デバイスに従属する第３の色空間上の信号に変換する第２の変換手段と、を有する画像処理装置であって、
出力デバイスから出力されたカラーパッチの測色値を入力する測色手段と、
前記測色値に基づき、前記第１の変換手段において参照される第１の変換条件を作成する第１の作成手段と、
前記測色値に基づき、前記第２の変換手段において参照される第２の変換条件を作成する第２の作成手段と、を有し、
前記第２の作成手段は、前記第２の色空間上の信号を一旦RGB色空間上の信号に変換した後に、前記第３の色空間上の信号に変換することによって、前記第２の変換条件を作成することを特徴とする画像処理装置。
【請求項２３】  コンピュータで実行されることによって、該コンピュータを請求項１乃至２１のいずれかに記載の画像処理方法を実現するように動作させることを特徴とするプログラム。